(57)【要約】【課題】背板と背凭れフレームの両者の支持剛性を向上させて強固な支持力を得るとともに、背板が後方に効果的に弾性変形しうるようにして、快適な座り心地が得られるようにした椅子を提供する。【解決手段】背板３における枠部４の左右両側部の上下複数箇所を、背凭れフレーム２における左右の縦フレームにより、前後方向に移動不能に支持する。【選択図】  図１
2012086071.tif 000002
【特許請求の範囲】
【請求項１】
座体の後部から上方に延出する背凭れフレームと、この背凭れフレームによって、その前面側に支持された背板とを備える椅子において、
前記背板は、左右両側部と上下両端部を高剛性とした枠部と、この枠部により囲まれた内方に形成され、多数の開口を設けることにより、弾性変形可能とした可撓部とを備え、
前記背凭れフレームは、前面が前記枠部の左右両側部の後面と対向する左右１対の縦フレームを備え、
前記背板における枠部の左右両側部の上下複数箇所を、前記左右の縦フレームにより、前後方向に移動不能に支持したことを特徴とする椅子。
【請求項２】
左右１対の縦フレームの上部同士を互いに連結したことを特徴とする請求項１記載の椅子。
【請求項３】
枠部の左右両側部の後面と、背凭れフレームにおける左右の縦フレームの前面との対向面のいずれか一方に、上下複数の係合部を、かつ他方に、複数の係止部をそれぞれ設け、この係止部を前記係合部に嵌合させることにより、背板を背凭れフレームの前面により前後方向に移動不能に支持したことを特徴とする請求項１または２記載の椅子。
【請求項４】
係合部を、上面が閉塞された筒状体とするとともに、係止部を、前記筒状体に下方より嵌合可能な上下方向の軸部としたことを特徴とする請求項３記載の椅子。
【請求項５】
複数の係合部の一部を枠部の左右両側部に設け、この係合部を、縦フレームに設けた係止部としての軸部に上方より嵌合可能な上面が閉塞された筒状体とするとともに、他の係合部を、係止部としての他の軸部との対向面が開口され、この開口を弾性変形により拡開させて前記軸部に嵌合可能な平面視弧状の左右１対の係合片よりなるものとしたことを特徴とする請求項３記載の椅子。
【請求項６】
背板の可撓部の左右両側部と、背凭れフレームにおける左右の縦フレームとの対向面に、撓み空間を設けたことを特徴とする請求項１〜５のいずれかに記載の椅子。
【発明の詳細な説明】
【技術分野】
【０００１】
本発明は、座体の後部から上方に延出した背凭れフレームの前面に、合成樹脂等の硬質弾性体からなる背板を支持してなる椅子に関する。
【背景技術】
【０００２】
背凭れフレームの前面に、硬質弾性体からなる背板を取り付けた椅子は、たとえば特許文献１により公知である。
【先行技術文献】
【特許文献】
【０００３】
【特許文献１】特開２００１−１２８７８５号公報
【発明の概要】
【発明が解決しようとする課題】
【０００４】
特許文献１に記載される発明においては、背板の上部に上下方向の長孔を穿設し、この長孔と、背凭れフレームの上部に設けた突軸とを係合させて上下方向への移動を可能とするとともに、背凭れフレームの下部に、円弧状で上向きに開口する左右方向の嵌合溝を設けた包持片を前向きに突設し、背板に、前記包持片と対応する位置に、前記嵌合溝に上方より圧嵌される左右方向の膨出部を設けて、背板を背凭れフレームに支持してある。
これにより、背板が後向きに撓曲可能となっている。しかし、この背板においては、着座者を左右側方から包み込むような撓曲は得られない。
また、背板は、全体が硬質弾性材よりなり、その左右両側部を、支持枠の左右の縦杆により支持してあるので、着座者の背中による後向きの荷重によって、背板を後方に効果的に弾性変形させるのが難しい。
【０００５】
本発明は、背板と背凭れフレームの両者の支持剛性を向上させて強固な支持力を得るとともに、着座者の背中による後向きの荷重によって、背板が後方に効果的に弾性変形しうるようにし、快適な座り心地が得られるようにした椅子を提供することを目的とする。
【課題を解決するための手段】
【０００６】
本発明によると、上記課題は、特許請求の範囲における各請求項に記載するように、次のようにして解決される。
（１）座体の後部から上方に延出する背凭れフレームと、この背凭れフレームによって、その前面側に支持された背板とを備える椅子において、前記背板は、左右両側部と上下両端部を高剛性とした枠部と、この枠部により囲まれた内方に形成され、多数の開口を設けることにより、弾性変形可能とした可撓部とを備え、前記背凭れフレームは、前面が前記枠部の左右両側部の後面と対向する左右１対の縦フレームを備え、前記背板における枠部の左右両側部の上下複数箇所を、前記左右の縦フレームにより、前後方向に移動不能に支持する。
【０００７】
このような構成とすると、高剛性とした枠部の左右両側部の上下複数箇所を、背凭れフレームにおける左右の縦フレームにより、前後方向に移動不能に支持したことにより、着座者の背中による後向きの荷重によって、背板の可撓部を後方に効果的に弾性変形させることができ、快適な座り心地が得られるとともに、背板の支持剛性も大となる。
【０００８】
（２）上記(１)項において、左右１対の縦フレームの上部同士を互いに連結する。
【０００９】
このような構成とすると、背凭れフレームの強度が大となるので、背板の可撓部が後方に弾性変形し易くなる。
【００１０】
（３）上記(１)または(２)項において、枠部の左右両側部の後面と、背凭れフレームにおける左右の縦フレームの前面との対向面のいずれか一方に、上下複数の係合部を、かつ他方に、複数の係止部をそれぞれ設け、この係止部を前記係合部に嵌合させることにより、背板を背凭れフレームの前面により前後方向に移動不能に支持する。
【００１１】
このような構成とすると、ねじ等を使用することなく、係止部を係合部に嵌合させるだけの簡単な作業で、背板を背凭れフレームの前面により前後方向に移動不能に支持することができる。
【００１２】
（４）上記(３)項において、係合部を、上面が閉塞された筒状体とするとともに、係止部を、前記筒状体に下方より嵌合可能な上下方向の軸部とする。
【００１３】
このような構成とすると、筒状体とした係合部に、軸部とした係止部を、下方より簡単に嵌合することができる。
【００１４】
（５）上記(３)項において、複数の係合部の一部を枠部の左右両側部に設け、この係合部を、縦フレームに設けた係止部としての軸部に上方より嵌合可能な上面が閉塞された筒状体とするとともに、他の係合部を、係止部としての他の軸部との対向面が開口され、この開口を弾性変形により拡開させて前記軸部に嵌合可能な平面視弧状の左右１対の係合片よりなるものとする。
【００１５】
このような構成とすると、縦フレームに設けた軸部に、枠部の左右両側部に設けた筒状体を上方より嵌合すると、背凭れフレームに対し、背板が下方に移動するのが防止され、この状態で、平面視弧状の左右１対の係合片よりなる他の係合部に、他の軸部を容易に嵌合しうるので、背凭れフレームの前面に背板を簡単に取付けることができる。
【００１６】
（６）上記(１)〜(５)項のいずれかにおいて、背板の可撓部の左右両側部と、背凭れフレームにおける左右の縦フレームとの対向面に、撓み空間を設ける。
【００１７】
このような構成とすると、背板の可撓部の両側部が、後方に弾性変形し易くなるので、より快適な座り心地が得られる。
【発明の効果】
【００１８】
本発明によれば、高剛性とした枠部の左右両側部の上下複数箇所を、背凭れフレームにおける左右の縦フレームにより、前後方向に移動不能に支持したことにより、着座者の背中による後向きの荷重によって、背板の可撓部を後方に効果的に弾性変形させることができ、快適な座り心地が得られるとともに、背板の支持剛性も大となる。
【図面の簡単な説明】
【００１９】
【図１】本発明を実施した椅子の側面図である。
【図２】図１におけるII−II線拡大端面図である。
【図３】図２におけるIII−III線断面図である。
【図４】図１におけるIV−IV線拡大端面図である。
【図５】図４におけるＶ−Ｖ線断面図である。
【図６】図１における破線円VI内の要部拡大分解斜視図である。
【図７】同じく、図１における破線円VII内の要部拡大分解斜視図である。
【図８】背板の拡大正面図である。
【図９】背板の拡大背面図である。
【図１０】背板を背凭れフレームに支持させる手順を示す図である。
【図１１】図８におけるXI−XI線端面図である。
【図１２】同じく、図８におけるXII−XII線端面図である。
【図１３】同じく、図８におけるXIII−XIII線端面図である。
【発明を実施するための形態】
【００２０】
以下、本発明の実施形態を、図面を参照して説明する。
図１は、本発明を実施した椅子の側面図、図２は、図１におけるII−II線拡大端面図、図４は、図１におけるIV−IV線拡大端面図、図８は、背板の拡大正面図、図９は、背板の拡大背面図である。
【００２１】
図１に示すように、本発明における椅子は、座体１の後部から上方に延出された背凭れフレーム２の前面に、合成樹脂等の硬質弾性体からなる背板３が支持されている。
【００２２】
背板３は、図８，図９に示すように、背板３の周縁、すなわち左右側部と上下端部とを高剛性の枠部４とし、このやや縦長のほぼ四角形の枠部４より内方の部位を、着座者の背中による後向きの荷重によって弾性変形する可撓部５としてある。この可撓部５は、前面から後面へ貫通する縦長の開口部６を多数設けることにより弾性変形が容易なように形成されている。
【００２３】
背板３と背凭れフレーム２の両者は、図１に示すように、下端部よりも若干上方の部位が、前方へ突出するように屈曲する側面視ほぼくの字状となっている。
【００２４】
背板３は、枠部４における前記屈曲部７ａと上端近傍とのそれぞれの左右側部において、上下方向の軸線まわりに回動可能に背凭れフレーム２に支持されている。
【００２５】
図３は、図２におけるIII−III線断面図、図６は、図１における破線円VI内の要部拡大分解斜視図である。図１〜図３、および図６に示すように、背凭れフレーム２の上端近傍の左右側部に、それぞれ第１係止部８，８が設けられるとともに、背板３の上端近傍の左右側部にそれぞれ第１係合部９，９が設けられ、前記第１係止部８，８を、第１係合部９，９に下方から嵌合させることにより、背板３が背凭れフレーム２に上端部近傍において支持されている。
【００２６】
図６に示すように、第１係止部８は、上下方向の第１軸部１０をもって形成され、この第１軸部１０の後面に設けられた上下方向の支持体１１により、背凭れフレーム２の前面に前向きに突設されている。
【００２７】
第１係合部９は、横断面がほぼＣ字状の一端がスリット状に開口する上下方向の筒状体１２の上面の一部を閉塞することにより形成されている。第１係止部８における第１軸部１０を、第１係合部９における筒状体１２内に下方から遊嵌状態で嵌合させるとともに、支持体１１を筒状体１２におけるスリット状開口１３内に嵌挿させることにより、第１軸部１０が、上下方向の軸線まわりに筒状体１２に対して相対的に回動可能に嵌合されている。
【００２８】
図５は、図４におけるＶ−Ｖ線断面図、図７は、図１における破線円VII内の要部拡大分解斜視図である。
【００２９】
図１，図４，図５，図７に示すように、背板３の屈曲部７ａにおける左右側部に、それぞれ第２係止部１４，１４が設けられるとともに、背凭れフレーム２の屈曲部７ｂにおける左右側部に、それぞれ第２係合部１５，１５が設けられている。この第２係合部１５，１５に前記第２係止部１４，１４を前方から嵌合させることにより、背板３が背凭れフレーム２に屈曲部７ａ，７ｂにおいて支持されている。
【００３０】
図７に示すように、第２係合部１５は、左右１対の係合片１６，１６を、左右方向に適寸離間して設けられるとともに、両係合片１６，１６の遊端近傍の対向する内面１６ａ，１６ａを、平面視弧状となるように凹ませることにより形成されている。
【００３１】
第２係止部１４としての第２軸部１７は、前記係合片１６よりもやや長い上下方向の軸体１８の上下面に、軸体１８の径よりもやや大きい上下板１９，１９を設けることにより形成されている。
【００３２】
第２係止部１４における軸体１８を、前方から第２係合部１５における１対の係合片１６，１６の遊端間の開口２０に押しつけて、前記開口２０を弾性変形により拡開させて、平面視弧状に形成された対向内面１６ａ，１６ａ間に嵌合させることにより、第２係止部１４における第２軸部１７が、上下方向の軸線まわりに相対的に回動可能に第２係合部１５に嵌合されている。
【００３３】
図１０は、背板３を背凭れフレーム２に支持させる手順を示す図である。
【００３４】
まず、図１０(ａ)、図６に示すように、背板３を背凭れフレーム２の前方上方に位置させて、下方に移動させ、背凭れフレーム２における左右１対の縦フレームの上端近傍に設けられた第１係止部８の第１軸部１０を、背板３の枠部４の左右側部における上端部近傍に設けられた第１係合部９の筒状体１２に下方から遊嵌状態で嵌合させるとともに、第１軸部１０を背凭れフレーム２に固定している支持体１１を筒状体１２におけるスリット状開口１３内に嵌挿させて、図１０(ｂ)に示す状態とする。
【００３５】
次いで、図１０(ｂ)、図７に示すように、背板３の枠部４の左右側部における屈曲部７ａに設けられている第２係止部１４の軸体１８を、背凭れフレーム２の左右１対の縦フレームの屈曲部７ｂに設けられている第２係合部１５における１対の係合片１６，１６の遊端間の開口２０に、前方から押しつけて、前記開口２０を拡開させて、両係合片１６，１６間に嵌合させて、図１０(ｃ)に示す状態にする。
【００３６】
これにより、背板３は、背凭れフレーム２に、左右側部における上端部近傍および屈曲部７ａ，７ｂの４箇所において、充分な強度をもって取付けられ支持される。
【００３７】
各支持部においては、軸部１０，１７が上下方向の軸線まわりに回動可能に支持されている。
【００３８】
図１１，図１２，図１３は、それぞれ図８におけるXI-XI線端面図、XII−XII線端面図、XIII−XIII線端面図である。
【００３９】
図１１に示すように、背板３における枠部４より内方の可撓部５において、屈曲部７ａよりも上方の部位における前後方向の肉厚は、左右の枠部４から左右方向の中央へ向かうにしたがって漸次大きくなっている。
【００４０】
図１１と図１２を対比することにより理解されるように、背板３の枠部４より内方の可撓部５において、屈曲部７ａよりも上方の部位の前後方向の肉厚Ｄ１は、前記屈曲部７ａにおける肉厚ｄ１よりも大きく形成されている。
【００４１】
さらに、図１３に示すように、背板３の前記屈曲部７ａよりも上方の可撓部５における上下方向の中央部における前後方向の肉厚Ｄ２は、この中央部の上下外方における前後方向の肉厚ｄ２よりも大きく形成されている。
【００４２】
このようにすることにより、背板３の屈強部７ａより上方の部位における可撓部５の中央部分の過度の撓みが防止され、前記可撓部５における中央部分以外の周辺部分が適度に変位し、図１１，図１３に破線で示すように、着座者の背を左右上下から包み込むように作用する背板３が得られる。
【００４３】
図１１，図１２に示すように、背板３における枠部４の後面には、上下方向に延びるリブ２１ａ，２１ｂが設けられている。これにより、枠部４の上下方向の曲げ剛性が向上し、好ましい適度の剛性を有する背板３が得られる。
【００４４】
図２，図４に示すように、背凭れフレーム２における左右１対の縦フレーム２ａ，２ａの屈曲部７ｂよりも上方における横断面は、後向きに突出するハ字状に形成されており、縦フレーム２ａの前面と、背板３の後面との間には、着座者の背中による後向きの荷重により、背板３の前記可撓部５が後方に撓んで湾曲しうるように、撓み空間２２が設けられている。
【００４５】
以上、代表的な実施形態を説明したが、たとえば、第１係止部８，第１係合部９と第２係止部１４，第２係合部１５との両者間で、具体的形態を相互に入れ換えたり、あるいは、背凭れフレーム２と背板３間で、第１係止部８と第１係合部９，または第２係止部１４と第２係合部１５とを入れ換えたりすることもできる。
【符号の説明】
【００４６】
１  座体
２  背凭れフレーム
２ａ  縦フレーム
３  背板
４  枠部
５  可撓部
６  開口部
７ａ，７ｂ  屈曲部
８  第１係止部
９  第１係合部
１０  第１軸部
１１  支持体
１２  筒状体
１３  スリット状開口
１４  第２係止部
１５  第２係合部
１６  係合片
１６ａ  対向内面
１７  第２軸部
１８  軸体
１９  上板、下板
２０  開口
２１ａ，２１ｂ  リブ
２２  撓み空間
【図１】
2012086071.tif 000003
【図２】
2012086071.tif 000004
【図３】
2012086071.tif 000005
【図４】
2012086071.tif 000006
【図５】
2012086071.tif 000007
【図６】
2012086071.tif 000008
【図７】
2012086071.tif 000009
【図８】
2012086071.tif 000010
【図９】
2012086071.tif 000011
【図１０】
2012086071.tif 000012
【図１１】
2012086071.tif 000013
【図１２】
2012086071.tif 000014
【図１３】
2012086071.tif 000015